(57)【要約】【課題】  生産性及びコスト面に優れた光導波路、及びこの光導波路を容易にかつ精度良く製造する方法を提供すること。【解決手段】  第１基板１ａ上に下部クラッド２及びコア層３を積層し、この積層体５ａを第１斜め方向６に切断した後、この積層体５ｂを第１基板１から分離して第２基板１ｂ上のダミー材８と接合し、更にこのダミー材８と共に積層体５ｂを第２斜め方向９に切断して、加工端部に凸状又は凹状のレンズ形状を形成する工程を有する、光導波路の製造方法。コア層３の光出射側又は／及び光入射側の端部が、コア層３の上面及び下面からそれぞれコア層３の厚さ方向に対してその中間厚さ位置まで加工され、この加工端部が凸状又は凹状のレンズ形状をなしている、光導波路。及びこの光導波路と、この光導波路のコア層に光を入射させる光入射手段と、前記コア層からの出射光を受け入れる受光手段とを有する、光情報処理装置。【選択図】          図１
2005062297.tif 000002
【特許請求の範囲】
【請求項１】
コア層の光出射側又は／及び光入射側の端部を、前記コア層の上面及び下面からそれぞれ前記コア層の厚さ方向に対してその中間厚さ位置まで加工して、この加工端部に凸状又は凹状のレンズ形状を形成する工程を有する、光導波路の製造方法。
【請求項２】
前記コア層を前記厚さ方向に対して第１斜め方向に切断する工程と、この切断端面をダミー材の端面と接合する工程と、更に前記コア層を前記ダミー材と共に前記厚さ方向に対してその中間厚さ位置まで前記第１斜め方向とは異なる第２斜め方向に切断する工程とを有する、請求項１に記載した光導波路の製造方法。
【請求項３】
第１基板上に下部クラッド及びコア層を積層し、この積層体を前記第１斜め方向に切断した後、この積層体を第１基板から分離して第２基板上の前記ダミー材と接合し、更にこのダミー材と共に前記積層体を前記第２斜め方向に切断する、請求項２に記載した光導波路の製造方法。
【請求項４】
ダイサーを用いて前記切断を行う、請求項２に記載した光導波路の製造方法。
【請求項５】
前記レンズ形状に対応する端部形状を有する成形空間にコア材を注入して、前記レンズ形状を端部に有する前記コア層を成形する、請求項１に記載した光導波路の製造方法。
【請求項６】
前記コア層の端部における前記厚さ方向に対する前記加工の角度を、前記コア層の前記上面及び下面の少なくとも一方において２０〜７０度とする、請求項１に記載した光導波路の製造方法。
【請求項７】
前記コア層上に更に上部クラッドを形成する、請求項３に記載した光導波路の製造方法。
【請求項８】
前記コア層を高分子材料を用いて形成する、請求項１に記載した光導波路の製造方法。
【請求項９】
コア層の光出射側又は／及び光入射側の端部が、前記コア層の上面及び下面からそれぞれ前記コア層の厚さ方向に対してその中間厚さ位置まで加工され、この加工端部が凸状又は凹状のレンズ形状をなしている、光導波路。
【請求項１０】
前記コア層が前記上面側から前記厚さ方向に対してその中間厚さ位置まで第１斜め方向に切断され、この中間厚さ位置から前記コア層が前記下面側へ前記第１斜め方向とは異なる第２斜め方向に切断されている、請求項９に記載した光導波路。
【請求項１１】
下部クラッド上にコア層が積層されている、請求項１０に記載した光導波路。
【請求項１２】
前記レンズ形状を端部に有する前記コア層がモールド成形されている、請求項９に記載した光導波路。
【請求項１３】
前記コア層の端部における前記厚さ方向に対する前記加工の角度が、前記コア層の前記上面及び前記下面の少なくとも一方において２０〜７０度である、請求項９に記載した光導波路。
【請求項１４】
前記コア層上に更に上部クラッドが形成されている、請求項１１に記載した光導波路。
【請求項１５】
前記コア層が高分子材料からなる、請求項９に記載した光導波路。
【請求項１６】
請求項９〜１５のいずれか１項に記載した光導波路と、この光導波路のコア層に光を入射させる光入射手段と、前記コア層からの出射光を受け入れる受光手段とを有する、光情報処理装置。
【請求項１７】
前記出射光を走査手段を介して投影するディスプレイとして構成された、請求項１６に記載した光情報処理装置。
【発明の詳細な説明】
【技術分野】
【０００１】
本発明は、コアとクラッドとの積層体からなり、光源モジュール、光インターコネクション、光通信等に好適な光導波路及びその製造方法、並びにディスプレイ等の光情報処理装置に関するものである。
【背景技術】
【０００２】
これまで、電子機器内のボード間又はボード内のチップ間など、比較的短距離間の情報伝達は、主に電気信号により行われてきたが、集積回路の性能を更に向上させるためには、信号の高速化や信号配線の高密度化が必要となる。しかし、電気信号配線においては、配線の時定数による信号遅延やノイズ発生等の問題から、電気信号の高速化や電気信号配線の高密度化が困難である。
【０００３】
こうした問題を解決する光配線（光インターコネクション）が注目されている。光配線は、電子機器間、電子機器内のボード間又はボード内のチップ間など、種々の個所に適用可能であり、例えばチップ間のような短距離間の信号の伝送には、チップが搭載されている基板上に光導波路を形成し、信号変調されたレーザー光等の伝送路とした光伝送・通信システムを構築することができる。
【０００４】
光導波路からの出射光は、その導波路端面の形状やＮＡ（開口数）などにより、放射光の角度が制限されている。このため、所望の光ビーム形状を得るには、微小レンズなどを取り付ける必要があった。また、光導波路を作製した後、この光導波路の端面を加工してレンズ効果を持たせる技術も知られている。例えば、溶剤にて球面化する手法（例えば、後記の特許文献１参照。）、有機溶剤に浸透、乾燥させて球面化する手法（例えば、後記の特許文献２参照。）、感光性樹脂に浸透させる方法（例えば、後記の特許文献３参照。）、レンズ形成型を押し付けて先端を球面化する手法（例えば、後記の特許文献４参照。）、ファイバ先端に加熱した球状鋳型を押し付ける手法（例えば、後記の特許文献５参照。）などに開示されている。
【０００５】
他方、光導波路をディスプレイの光源モジュールとして用いることも知られている。例えば、映像ソフト、ゲーム、コンピュータ画面、映画等を自分だけの大画面で楽しめるヘッドマウントディスプレイ（Head Mounted Display：ＨＭＤ）の開発がなされており、サングラスのようにかけるだけで、臨場感あふれる映像をいつでもどこでも気軽に体感できるパーソナルなディスプレイがある（米国特許第5,467,104号公報参照）。
【０００６】
このヘッドマウントディスプレイの光源には、赤色（Ｒ）、緑色（Ｇ）、青色（Ｂ）のＬＥＤ（light-emitting diode：発光ダイオード）が使われているが、ＬＥＤ光はコヒーレント性がなく、放射角が広く、集光して３色を合波することが難しい。そこで、３色のＬＥＤ光を光導波路に通して合波し、均一な白色光を作り出す技術が知られている（例えば、後記の非特許文献１参照。）。
【０００７】
図１２は、米Lumileds Lighting, LLCが開発したＬＥＤ及び光導波路を使ったモジュールの構造例である。
【０００８】
図１２に示すように、バックライト・モジュール８０は、プリント基板８１上に実装されたＲＧＢ３種類のＬＥＤモジュール８２、光導波路８３、２個の反射ミラー８４ａ、８４ｂ、導光板８５で構成され、ＬＥＤモジュール８２は９ｍｍ間隔で直線状に実装されている。ＬＥＤモジュール８２から放射されたＲＧＢそれぞれのＬＥＤ光８６は、反射ミラー８４ａ、８４ｂによる反射と光導波路８３内での反射によって混ざり合い、ほぼ均一な白色光になり、これを液晶パネルの背面に照射する。
【０００９】
光導波路は、図１３に示すように、下部クラッド８８と、コア層８９と、上部クラッド９０とから構成されており、その端面９１は、図１２の光導波路８３のような垂直形状、或いは図１３の光導波路８７のような４５度ミラーのレンズ形状が提案されている（例えば、後記の特許文献６参照。）。
【００１０】
【非特許文献１】日経エレクトロニクス2003.3.31号 p.127
【特許文献１】特開平１０−２３９５３８号公報（第２頁特許請求の範囲、第４頁第                  ６欄１５行目〜第５頁第８欄１３行目）
【特許文献２】特開平１１−３２６６８９号公報（第２頁特許請求の範囲、第４頁第                  ５欄３９行目〜第６欄４２行目）
【特許文献３】特開平５−１０７４２７号公報（第２頁特許請求の範囲、第２頁第２                  欄４８行目〜第３頁第３欄２９行目、図２）
【特許文献４】特開平８−７５９３５号公報（第２頁特許請求の範囲、第３頁第３欄                  １８行目〜第４欄１７行目、図１）
【特許文献５】特開２００１−３５００３７号公報（第２頁〜第３頁特許請求の範囲                  、第６頁第９欄３２行目〜第１０欄１９行目、図１〜図３）
【特許文献６】特開平１１−２４８９５３号公報（第４頁第６欄１８行目〜第５頁第                  ７欄１５行目、図１）
【発明の開示】
【発明が解決しようとする課題】
【００１１】
しかしながら、上記した特許文献１〜５のいずれも、光導波路を作製した後に、その端面を後加工してレンズ部を形成しているので、その後加工のばらつきによってレンズ部を精度よく形成することが困難である。
【００１２】
また、図１２又は図１３に示すような、端面９１が垂直又は４５度ミラーのレンズ形状に加工されている光導波路８３又は８７は、入射光９２を光導波路８７を通して合波し、得られた白色光を平面にて取り出すことができる。しかしながら、出射される光信号９３は集光されることなく、広がったビーム形状となるので、任意のスポット径を作り出すことができない。
【００１３】
上記したヘッドマウントディスプレイに適用するには、集光した点光源が要求される。従って、導波光（出射光）９３を効率良く集光するためには、別途、レンズ９４などの光学部品を用いて集光させることになる。
【００１４】
このように、光学部品などを用いた場合、光導波路と光学部品との光軸調整などが必要となり、またコストが高く、生産性を悪化させる。
【００１５】
本発明は、上述したような問題点を解決するためになされたものであって、その目的は、生産性及びコスト面に優れた光導波路、及びこの光導波路を容易にかつ精度良く製造する方法を提供することにある。
【課題を解決するための手段】
【００１６】
即ち、本発明は、コア層の光出射側又は／及び光入射側の端部を、前記コア層の上面及び下面からそれぞれ前記コア層の厚さ方向に対してその中間厚さ位置まで加工して、この加工端部に凸状又は凹状のレンズ形状を形成する工程を有する、光導波路の製造方法に係るものである。
【００１７】
また、コア層の光出射側又は／及び光入射側の端部が、前記コア層の上面及び下面からそれぞれ前記コア層の厚さ方向に対してその中間厚さ位置まで加工され、この加工端部が凸状又は凹状のレンズ形状をなしている、光導波路に係るものである。
【００１８】
さらに、上記した本発明の光導波路と、この光導波路のコア層に光を入射させる光入射手段と、前記コア層からの出射光を受け入れる受光手段とを有する、光情報処理装置に係るものである。
【発明の効果】
【００１９】
本発明によれば、前記コア層の光出射側又は／及び光入射側の端部を、前記コア層の上面及び下面からそれぞれ前記コア層の厚さ方向に対してその中間厚さ位置まで加工して、この加工端部に凸状又は凹状のレンズ形状を形成する工程を有し、上記した従来例のように、後工程によりレンズ形状を形成することがないので、前記端部のレンズ形状にばらつきが生じることはなく、容易かつ精度良く光導波路を製造することができる。
【００２０】
また、例えば前記コア層の光出射側の前記端部に凸状のレンズ形状を形成すれば、特にレンズなどの光学部品を用いなくても、効率的に集光した点光源を作り出すことができる。従って、光導波路と光学部品との光軸調整なども必要なく、コストの低減及び生産性の向上を図ることができる。
【００２１】
さらに、前記コア層の光入射側の前記端部に凸状又は凹状のレンズ形状を形成することにより、ＬＥＤ等の光源から放射された信号光を効率良く前記コア層に入射させることができる。
【００２２】
本発明の光導波路は上述したような優れた効果を奏するので、光通信やディスプレイ等の光情報処理装置として好適に用いることができる。
【発明を実施するための最良の形態】
【００２３】
本発明の光導波路の製造方法は、前記コア層を前記厚さ方向に対して第１斜め方向に切断する工程と、この切断端面をダミー材の端面と接合する工程と、更に前記コア層を前記ダミー材と共に前記厚さ方向に対してその中間厚さ位置まで前記第１斜め方向とは異なる第２斜め方向に切断する工程とを有することが好ましい。
【００２４】
例えば、第１基板上に下部クラッド及びコア層を積層し、この積層体を前記第１斜め方向に切断した後、この積層体を第１基板から分離して第２基板上の前記ダミー材と接合し、更にこのダミー材と共に前記積層体を前記第２斜め方向に切断することが好ましい。この場合、ダイサーを用いて前記切断を行うことができる。
【００２５】
また、前記レンズ形状に対応する端部形状を有する成形空間にコア材を注入して、前記レンズ形状を端部に有する前記コア層を成形してもよい。
【００２６】
また、前記コア層の端部における前記厚さ方向に対する前記加工の角度を、前記コア層の前記上面及び下面の少なくとも一方において２０〜７０度とすることが好ましい。前記加工の角度が２０度未満の場合、上述したようなレンズ効果が得られ難くなり、また７０度を超えると、前記レンズ形状を作製し難くなる。なお、前記加工の角度を適宜変更することにより、上述した集光効果を調節することができる。
【００２７】
さらに、前記コア層上に更に上部クラッドを形成してもよい。
【００２８】
本発明に基づく光導波路において、前記コア層は入射した信号光を導波する役割を果たし、前記クラッドは前記コア層内に信号光を閉じ込める役割を果たす。前記コア層は高い屈折率を持つ材料からなり、前記クラッドは前記コア層より低い屈折率の材料で構成されることが好ましい。
【００２９】
また、前記コア層が光硬化性樹脂からなるのがよい。これは、光（特に紫外線）照射によって露光パターンに対応したコアにパターン化することが容易となり、またクラッド材としても有利なためである。こうした光硬化性樹脂としては、特開２０００−３５６７２０号公報に記載されたオキセタン樹脂等の高分子有機材料が挙げられる。このような高分子有機材料は、３９０ｎｍ以上、８５０ｎｍ以下の波長の可視光を９０％以上透過するものがよい。なお、コア材やクラッド材は、光硬化性樹脂以外にも、無機系材料を用いてもよい。
【００３０】
光導波路材料として、下記のオキセタン環を有するオキセタン化合物からなる上記したオキセタン樹脂、又は下記のオキシラン環を有するオキシラン化合物からなるポリシランが使用可能であるが、これらの光硬化（重合）のための連鎖反応による重合を開始させ得るカチオン重合開始剤を含む組成物が用いられるのがよい。
【００３１】
【化１】
2005062297.tif 000003
【００３２】
そして、本発明は、光導波路で効率良く所定の光束に集光されて出射し、或いは光導波路に効率良く入射した後に出射した信号光を走査手段で走査して投影するように構成したディスプレイや、上記信号光を次段回路の受光素子（光配線やフォトディテクタ等）に入射させるように構成した光通信等の光情報処理に有効に用いることができる。
【００３３】
以下、本発明の好ましい実施の形態を図面を参照して説明する。
【００３４】
第１の実施の形態
図１は、本発明に基づく光導波路の製造方法の一例を工程順に示す概略断面図である。図２は、本発明に基づく光導波路の概略断面図（ａ）及び概略平面図（ｂ）である。図３は、本発明に基づく光導波路の概略図である。
【００３５】
まず、図１（ａ）に示すように、基板１ａ上に、下部クラッド２、コア層３及び上部クラッド４を順次積層する。基板１ａとしては、例えばシリコン基板やガラス基板等を用いることができる。
【００３６】
具体的には、基板１ａ上に下部クラッド材を塗布し、紫外線ＵＶを全面に照射することによって下部クラッド材を硬化させ、下部クラッド２を形成する。そして、この下部クラッド２上に、コア材を塗布し、例えばストライプ状の開口を有するフォトマスク（図示省略）を介してコア材からなる膜に対して紫外線ＵＶを照射する。これにより、フォトマスクの開口に対応する部分では、コア材が硬化する。紫外線ＵＶを照射してから所定の時間が経過した後、フォトマスクにより紫外線ＵＶが照射されず、未硬化状態の部分を、例えばアセトンにより溶解除去し、更にフォトマスクを除去する。これにより、例えば平面形状が帯状のコア層３が形成される。最後に、下部クラッド２の露出面及びコア層３上に、例えば下部クラッド２と同様の材料を用い、下部クラッド２と同様の方法により、上部クラッド４を形成する。以上のようにして、基板１ａ上に、下部クラッド２、コア層３及び上部クラッド４からなる積層体５ａを作製することができる。
【００３７】
なお、コア層３は高い屈折率を持つ材料で構成され、下部クラッド２及び上部クラッド４はコア層３より低い屈折率の材料で構成されることが好ましい。
【００３８】
また、コア層３が光硬化性樹脂からなるのがよい。これは、光（特に紫外線）照射によって露光パターンに対応したコアにパターン化することが容易となり、またクラッド材としても有利なためである。こうした光硬化性樹脂としては、特開２０００−３５６７２０号公報に記載されたオキセタン樹脂等の高分子有機材料が挙げられる。このような高分子有機材料は、３９０ｎｍ以上、８５０ｎｍ以下の波長の可視光を９０％以上透過するものがよい。なお、コア材やクラッド材は、光硬化性樹脂以外にも、無機系材料を用いてもよい。
【００３９】
光導波路材料として、下記のオキセタン環を有するオキセタン化合物からなる上記したオキセタン樹脂、又は下記のオキシラン環を有するオキシラン化合物からなるポリシランが使用可能であるが、これらの光硬化（重合）のための連鎖反応による重合を開始させ得るカチオン重合開始剤を含む組成物が用いられるのがよい。
【００４０】
【化２】
2005062297.tif 000004
【００４１】
次に、図１（ｂ）に示すように、積層体５ａを、上面７からその厚さ方向に対して第１斜め方向６に角度θでダイサー（図示省略）を用いて切断する。前記切断後は、切断された積層体５ｂを基板１ａから分離する。
【００４２】
次に、図１（ｃ）に示すように、ダミー材８が形成された基板１ｂを用意する。ダミー材８は、例えばコア材と同様の材料を用いて形成することができ、基板１ｂ上に塗布して硬化させた後、図示した端面形状に加工すればよい。また、基板１ｂとしては、例えばシリコン基板やガラス基板等を用いることができる。そして、図１（ｄ）に示すように、基板１ａから分離した積層体５ｂと、ダミー材８とを接合する。
【００４３】
次に、図１（ｅ）に示すように、ダミー材８と共に積層体５ｂを第２斜め方向９に角度θ’でダイサー（図示省略）を用いて切断する。前記切断後は、ダミー材８を除去する。なお、基板１ｂはそのまま残してもよく、或いは除去してもよい。
【００４４】
以上のようにして、図２に示すような、コア層３の端部１２が、上面７側から厚さ方向に対してその中間厚さ位置まで第１斜め方向６に角度θで切断され、この中間厚さ位置からコア層３が下面１１側へ第１斜め方向６とは異なる第２斜め方向９に角度θ’で切断加工され、この加工端部１２が凸状のレンズ形状をなしている光導波路１０を作製することができる。
【００４５】
本発明に基づく光導波路１０の製造方法によれば、上記した従来例のように、後工程により前記レンズ形状を形成せず、光導波路１０の作製における一工程として前記レンズ形状の形成工程が組み込まれているので、端部１２のレンズ形状にばらつきが生じることはなく、容易かつ精度良く光導波路１０を作製することができる。
【００４６】
また、図２及び図３に示すように、コア層３の光出射側の端部１２が凸状のレンズ形状をなしているので、従来例のようにレンズなどの光学部品を用いなくても、光源としてのＬＥＤ１３からの信号光１４を効率良く所定の光束に集光し、任意のスポット径を有する点光源の出射光１５を作り出すことができる。従って、光導波路１０と光学部品との光軸調整なども必要なく、コストの低減及び生産性の向上を図ることができる。
【００４７】
ここで、図１（ｂ）及び（ｅ）における角度θ、θ’の少なくとも一方を１０〜８０度、更には２０〜７０度とすることが好ましい。前記角度が１０度未満の場合、上述したようなレンズ効果が得られ難くなり、また８０度を超えると、前記レンズ形状を作製し難くなる。なお、前記角度を適宜変更することにより、上述した集光効果を調節することができる。
【００４８】
本実施の形態によれば、コア層３の光出射側の端部１２を、コア層３の上面及び下面からそれぞれその中間厚さ位置まで加工して、この加工端部に凸状のレンズ形状を形成しているので、上記した従来例のように、後工程によりレンズ形状を形成することがなく、レンズを別に配置することもない（部品点数を減らせる）ので、端部のレンズ形状にばらつきが生じることはなく、容易かつ精度良く光導波路を製造することができる。従って、光導波路と光学部品との光軸調整なども必要なく、コストの低減及び生産性の向上を図ることができる。
【００４９】
さらに、コア層３の光入射側の端部１２に凸状のレンズ形状を形成することにより、ＬＥＤ等の光源から放射された信号光を効率良くコア層３に入射させることができる。
【００５０】
第２の実施の形態
本発明に基づく光導波路は、図４（ａ）に示すように、コア層３の光出射側又は／及び光入射側の加工端部１２が凸状のレンズ形状をなしていることが特長であり、コア層３の上面７側から厚さ方向に対してその中間厚さ位置まで切断する第１斜め方向６と、この中間厚さ位置からコア層３の下面１２まで切断する第２斜め方向９とが、前記中間厚さ位置で対称であってよいが、例えば、図４（ｂ）に示すように、第１斜め方向６と第２斜め方向９とが非対称であってもよい。これによって、コア層３への集光効率を調節することができる。
【００５１】
また、図４（ｃ）に示すように、加工端部１２の凸状の先端が丸く加工され、滑らかな曲線であってもよい。この場合、例えば図２に示すような光導波路１０を形成した後、コア材の溶剤を用いて処理するか或いは加熱処理することにより、先端の形状を滑らかな曲線にすることができる。
【００５２】
第３の実施の形態
上述した第１の実施の形態では、下部クラッド２と、コア層３と、上部クラッド４との積層体５からなる光導波路について説明した。前記下部及び上部クラッドは、前記コア層を通る信号光が外部に洩れないように遮断する役割を担っているが、ＬＥＤ等の光源からの信号光によっては前記コア層だけでなく、前記下部及び上部クラッドに渡って導波することがある。この場合、前記コア層のみならず、前記下部及び上部クラッドからも光が出射し、光導波路全体が発光することが考えられる。
【００５３】
そこで、図５に示すように、前記上部クラッドを設けずに光導波路１６を作製してもよい。即ち、本実施の形態による光導波路１６は、図５（ａ）及び（ｂ）に示すように、基板１上に下部クラッド２を形成し、この下部クラッド２上にコア層３を例えば帯状に配置し、この下部クラッド２とコア層３とからなる積層体の端部１２に前記レンズ形状を形成する。
【００５４】
これによれば、図５（ｂ）及び（ｃ）に示すように、ＬＥＤ１３からの信号光１４がコア層３だけでなく、クラッドにまで導波した場合でも、前記上部クラッド分が低減されているので、より出射光範囲１７を小さくすることができる。
【００５５】
第４の実施の形態
上述した第１の実施の形態では、前記基板上に前記下部クラッド、前記コア層及び前記上部クラッドをそれぞれ塗布によって形成し、本発明に基づく光導波路を製造する例を説明したが、この他に、前記レンズ形状に対応する端部形状を有する成形空間にコア材を注入して、前記レンズ形状を端部に有する前記コア層を成形してもよい。
【００５６】
例えば、図６（ａ）に示すように、上型１８及び下型１９に下部クラッド２が形成された基板１を配し、上型１８及び下型１９による前記レンズ形状に対応する端部形状を有する成形空間２０にコア材（図示省略）を注入し、紫外線ＵＶを照射してコア材を硬化させる。そして、上型１８及び下型１９を外し、コア層３上に更に上部クラッド４を形成することにより、図６（ｂ）に示すような、本発明に基づく光導波路２１を作製することができる。
【００５７】
第５の実施の形態
上記に前記コア層の光出射側の加工端部が凸状のレンズ形状に形成されてなる光導波路について説明したが、本発明に基づく光導波路は、図７（ａ）に示すように、光入射側２３の加工端部１２’が凸状のレンズ形状に形成されていてもよい。
【００５８】
また、光入射側２３の加工端部１２’には、図７（ｂ）に示すように、凹状のレンズ形状を形成することも可能である。
【００５９】
これらの場合、ＬＥＤ１３からの信号光１４をより効果的に光導波路（コア層３）に入射することができる。更に、これと同時に光出射側２４の端部に凸状の前記レンズ形状を形成すれば（図示省略）、信号光１４を光導波路に効果的に入射すると共に、特に光学部品を設けなくても任意のスポット径を有する点光源を作り出すことができる。
【００６０】
上記したような凹状の前記レンズ形状を作製する場合は、例えば、図８（ａ）に示すように、基板１上に下部クラッド２、コア層３及び上部クラッド４からなる積層体５を形成した後、同図（ｂ）に示すように、この積層体５の端部１２を所定の凹状の前記レンズ形状となるように加工すればよい。加工方法としては、ダイサーを用いた切断やコア材の溶媒による方法が挙げられる。
【００６１】
また、図９に示すように、光導波路２２の光入射側２３の端部を一方方向の斜面に加工し、かつ光出射側２４の端部を上記したような凸状の前記レンズ形状に加工することも可能である。この場合も、上記したと同様の効果、即ち、ＬＥＤ１３からの信号光１４を効果的に光導波路２２（コア層３）に入射できると共に、特に光学部品を設けなくても任意のスポット径を有する出射光１５を作り出すことができる。
【００６２】
第６の実施の形態
上述した各実施の形態はいずれも、光導波路はいわば点光源として好適であって出射光はビーム径の絞られた次段への信号光として好適なものとなる。本実施の形態は、そのような点光源としての光導波路を光情報処理装置、例えばディスプレイに適用した例である。
【００６３】
図１０に示す光導波路２５によれば、コア層を３種類の赤色光用コア２６Ｒ、緑色光用コア２６Ｇ及び青色光用コア２６Ｂに分け、これらの光入射面側にそれぞれＬＥＤからなる赤色光源２７Ｒ、緑色光源２７Ｇ及び青色光源２７Ｂを配置し、かつ直線状の緑色光用コア２６Ｇの前位にて赤色光用コア２６Ｒ及び青色光用コア２６Ｂをそれぞれ緑色光用コア２６Ｇに合流させ、共通コア２６の端部１２に前記凸レンズ形状を形成する。これによって、各色の信号光２８Ｒ、２８Ｇ及び２８Ｂを合波し、上述したと同様に、前記レンズ形状に形成された共通コア２６の前記端部で所望のビーム径に集光して出射させる。
【００６４】
そして、各色の信号光の強度やカラーバランスを制御することによって、出射光２９（Ｒ、Ｇ、Ｂ）は目的とする色情報をもつ信号光として次段のたとえばスクリーンへ投影され、フルカラーの画像の再生が可能なディスプレイを得ることができる。
【００６５】
図１１は、こうしたディスプレイをヘッドマウントディスプレイ（ＨＭＤ）３０に適用した例を示すものであって、図１０に示した構造の光導波路２５を単位画素相当としてこれらを例えば紙面垂直方向に多数個ライン状に配列し、各光導波路２５からのビーム径の絞られた出射光２９を走査板（scanned image plane）３１に通した後、この走査板３１と光学的に共役関係にある人間の眼球３２の網膜３３上に光学レンズ３４等によって焦点（スポット）を結ばせるように構成している。この結像点は一ライン分、網膜３３上に形成されるが、これは走査板３１によって網膜３３上でラインとは直交する方向に走査されることによって、臨場感あふれる映像をパーソナルに体感することができる。
【００６６】
このようなディスプレイでは、一般に、光源のＬＥＤ２７Ｒ、２７Ｇ、２７Ｂの発光光はコヒーレント性がなく、放射角が広くて３色を合波するのが困難であるとされるが、本実施の形態のようにＬＥＤからの光を光導波路２５の前記コア層に導入した後に、その端部の前記レンズ形状によって所望のビーム径に集光できるため、この光導波路２５はいわば点光源としてディスプレイに非常に有利となる。
【００６７】
なお、このヘッドマウントディスプレイ３０は、サングラスのように装着した状態で、プロジェクタやカメラ、コンピュータ、ゲーム機などに組み込むことにより、コンパクトな映像装置を提供することができる。
【００６８】
以上、本発明を実施の形態について説明したが、上述の例は、本発明の技術的思想に基づき種々に変形が可能である。
【００６９】
例えば、本発明に基づく光導波路の構成材料や層構成も様々に変化させてよく、例えば上述した第１の実施の形態においてニオブ酸リチウム等の無機系の材料を用い、これをＣＶＤ（化学的気相成長法）によって基板上にコア材として成膜し、レジストマスクを用いて所定パターンにエッチングすることによって、上述したコア層と同等のコア層を形成することができる。
【００７０】
また、上述した光導波路を含む光学系の構成は適宜変更してよく、例えば走査手段としてマイクロミラーデバイスやポリゴンミラー等を採用してよいし、投影をスクリーン上に行ってもよい。
【００７１】
なお、本発明は、ＬＥＤ又はレーザーを用いた光導波路を光源とするディスプレイ等をはじめ、例えばレーザーを用いた光導波路からの信号光を次段回路の受光素子（光配線やフォトディテクタ等）に入射させる光通信等の如き種々の光情報処理に広く適用可能である。
【産業上の利用可能性】
【００７２】
本発明は、光導波路で効率良く所定の光束に集光されて出射し、或いは光導波路に効率良く入射した後に出射した信号光を走査手段で走査して投影するように構成したディスプレイや、上記信号光を次段回路の受光素子（光配線やフォトディテクタ等）に入射させるように構成した光通信等の光情報処理に有効に用いることができる。
【図面の簡単な説明】
【００７３】
【図１】本発明の第１の実施の形態による、光導波路の製造方法の一例を工程順に示    す概略断面図である。
【図２】同、光導波路の一例の概略図である。
【図３】同、光導波路の概略図である。
【図４】本発明の第２の実施の形態による、光導波路の概略断面図である。
【図５】本発明の第３の実施の形態による、光導波路の概略断面図である。
【図６】本発明の第４の実施の形態による、光導波路の製造方法の概略断面図である    。
【図７】本発明の第５の実施の形態による、光導波路の概略断面図である。
【図８】同、光導波路の製造方法の概略断面図である。
【図９】同、光導波路の他の例の概略断面図である。
【図１０】本発明の第６の実施の形態による、光導波路の概略図である。
【図１１】同、光導波路を適用したディスプレイの一例の模式図である。
【図１２】従来例による光導波路を適用したディスプレイの模式図である。
【図１３】同、光導波路の概略断面図である。
【符号の説明】
【００７４】
１ａ、１ｂ、１…基板、２…下部クラッド、３…コア層、４…上部クラッド、
５ａ、５ｂ、５…積層体、６…第１斜め方向、７…上面、８…ダミー材、
９…第２斜め方向、１０、１６、２１、２２、２５…光導波路、１１…下面、
１２…端部（加工端部）、１３…ＬＥＤ、１４…信号光、１５、２９…出射光、
１７…出射光範囲、１８…上型、１９…下型、２０…成形空間、２３…入射側、
２４…出射側、２６Ｒ…赤色光用コア、２６Ｇ…緑色光用コア、２６Ｂ…青色光用コア、２７Ｒ…赤色光源、２７Ｇ…緑色光源、２７Ｂ…青色光源、２８Ｒ…赤色信号光、
２８Ｇ…緑色信号光、２８Ｂ…青色信号光、３０…ヘッドマウントディスプレイ、
３１…走査板、３２…眼球、３３…網膜、３４…光学レンズ
【図１】
2005062297.tif 000005
【図２】
2005062297.tif 000006
【図３】
2005062297.tif 000007
【図４】
2005062297.tif 000008
【図５】
2005062297.tif 000009
【図６】
2005062297.tif 000010
【図７】
2005062297.tif 000011
【図８】
2005062297.tif 000012
【図９】
2005062297.tif 000013
【図１０】
2005062297.tif 000014
【図１１】
2005062297.tif 000015
【図１２】
2005062297.tif 000016
【図１３】
2005062297.tif 000017